(57)【特許請求の範囲】
【請求項１】
ねじ部を備えた軸部と、上記軸部の基端に設けられた頭部と、を具備し、骨折した骨を接合する骨接合装置にあって使用される骨接合装置用ねじ部材において、
上記頭部の反軸部側に突出する突出部を設け、該突出部に締結用紐体を通すための貫通した孔を設け、
上記貫通した孔は上記突出部の軸方向に沿って異なる位置に相互に直交する方向に指向した状態で夫々設けられていることを特徴とする骨接合装置用ねじ部材。
【請求項２】
請求項１記載の骨接合装置用ねじ部材において、
上記貫通した孔は上記突出部の軸方向に沿って異なる位置に２個ずつ設けられていることを特徴とする骨接合装置用ねじ部材。
【請求項３】
請求項１又は請求項２記載の骨接合装置用ねじ部材と、上記骨接合装置用ねじ部材を使用して骨を接合した後、上記骨接合装置用ねじ部材の突出部に設けられた孔に通されて骨と骨接合装置用ねじ部材とを縛り付けていく紐体と、を具備したことを特徴とする骨接合装置。
【請求項４】
請求項３記載の骨接合装置において、
紐体によって縛り付けた後、孔部をかしめることにより、紐体の孔からの不用意な抜けを防止するようにしたことを特徴とする骨接合装置。
【発明の詳細な説明】
【０００１】
【発明が属する技術分野】
本発明は、例えば、大腿骨の頸部骨折時に骨折した部分を接合するために使用される骨接合装置において使用される骨接合装置用ねじ部材と骨接合装置に係り、特に、骨材接合装置によって骨を接合した後、骨同士或いは骨と骨接合装置とを紐体によって縛り付ける際、該紐体が通る孔をその基部に設けることにより、別途金具を要することなく簡単な作業で縛り付け作業を行うことができるように工夫したものに関する。
【０００２】
【従来の技術】
例えば、骨接合装置としては、実用新案登録第３０４４９２３号に係る登録実用新案公報に開示されているものがある。
尚、これは本件特許出願人によるものである。
その構成を図８に示す。図８は大腿骨１０１の頸部１０１ａに骨折が発生し、それを接合するための骨接合装置の構成を示す図であり、図８中骨折部を符号Ａで示す。
【０００３】
まず、チューブプレート１０３があり、このチューブプレート１０３は、大腿骨１０１の側部に沿った状態で配置されている。上記チューブプレート１０３の図８中上端には、半球状の受部１０５が形成されている。又、この半球状の受部１０５には貫通孔１０７が形成されている。
【０００４】
上記受部１０５の内側（大腿骨１０１側に形成される孔内）には、チューブ１０９が配置されている。このチューブ１０９は、半球状の頭部１１１を備えていて、該頭部１１１を介して上記受部１０５に移動可能に係合する。上記チューブ１０９は中空部１１３を備えていると共に、頭部１１１の内周側には雌ねじ部１１５が形成されている。上記受部１０５の表面は、梨地状（ザラザラした状態）をなしていると共に、上記チューブ１０９の頭部１１１の表面も同様に梨地状をなしている。それによって、大きな摩擦力を得て固定力を高めるようになっている。
【０００５】
又、ラグスクリュ１１７があり、このラグスクリュ１１７は、横断面形状が六角形の軸部１１９を備えていて、該軸部１１９の先端部には雄ねじ部１２１が形成されている。又、軸部１１９の基部側の内周面には、雌ねじ部１２３が形成されている。上記ラグスクリュ１１７は、大腿骨１０１の頸部１０１ａから骨頭１０１ｂにかけて予め形成された孔内に挿入され、且つ、骨頭１０１ｂ側の孔に形成された雌ねじ部に螺合・接合されている。
【０００６】
又、チューブプレート１０３の受部１０５の外側には、セットスクリュ１２５が配置されていて、このセットスクリュ１２５には、チューブ１０９の雌ねじ部１１１に螺合される雄ねじ部１２７が形成されている。又、このセットスクリュ１２５の外側には、コンプレッションスクリュ１２９が配置されていて、このコンプレッションスクリュ１２９には、ラグスクリュ１１７側の雌ねじ部１２３に螺合する雄ねじ部１３１が形成されている。
【０００７】
又、チューブプレート１０３には、固定ねじとしてのコーティカルスクリュ１３３を通すための複数個の貫通孔１３５が形成されている。又、チューブプレート１０３には、固定ねじとしてのキャニレットスクリュ１３７を通すための貫通孔１３９が形成されている。
【０００８】
上記構成によると、例えば、大腿骨１０１の頸部１０１ａに骨折が発生した場合には、大腿骨１０１の頸部１０１ａから骨頭１０１ｂにかけて所定深さの孔を穿孔し、骨頭１０１ｂ側において雌ねじ部のねじ切り加工を施す。次に、ラグスクリュ１１７をその雌ねじ部に螺合させていくと共に、チューブ１０９を挿入・配置する。その際、ラグスクリュ１１７の基部は上記チューブ１０９内の中空部１１３内に挿入される。
【０００９】
又、大腿骨１０１の側部に、チューブプレート１０３を沿わせるように配置する。そして、セットスクリュ１２５をチューブプレート１０３の受部１０５の貫通孔１０７を通してチューブ１０９の頭部１１１の雌ねじ部１１５に螺合させる。それによって、チューブ１０９をチューブプレート１０３に固定する。次に、コンプレッションスクリュ１２９をセットスクリュ１２５内を通して、ラグスクリュ１１７の基部の雌ねじ部１２３に螺合させていく。それによって、ラグスクリュ１１７、ひいては骨頭１０１ｂを大腿骨１０１の頸部１０１ａ側に引き寄せて、骨折部Ａに圧迫を与える。後は、チューブプレート１０３の外側から複数本のコーティカルスクリュ１３３、キャニレットスクリュ１３７を大腿骨１０１にねじ込むことにより全体を固定する。
【００１０】
ところで、上記したような骨接合装置を使用して大腿骨１０１の骨折部を固定する際、その接合状態をさらに強固なものとするべくワイヤ１４７による縛り付け作業が施される。すなわち、ワイヤ１４７を使用して骨接合装置を大腿骨１０１に縛り付けて固定するものである。
その際、図８に示した骨接合装置の場合には、ワイヤ１４７を接合装置側に固定するための構成が設けられていないために、図中仮装線で示すような金具１４１をチューブプレート１０３に取り付けて、この金具１４１を使用してワイヤ１４７による締結を行う。
【００１１】
すなわち、上記金具１４１にはワイヤ１４７が通る孔１４３、１４５が形成されているので、ワイヤをこれら孔１４３、１４５を通しながら、チューブプレート１０３と大腿骨１０１の外周に巻回させていき、縛り付けるものである。
尚、図ではそのような金具１４１を一箇所にのみ示したが、これを複数箇所に設けて縛り付けるものである。
【００１２】
【発明が解決しようとする課題】
上記従来の構成によると次のような問題があった。
まず、ワイヤ１４７による縛り付け作業が面倒であるという問題があった。これは、ワイヤ１４７による縛り付けを行う為に金具１４１を別途用意して取り付ける必要があるからである。
又、本来の接合装置用の部品以外に金具１４１を必要とするため、部品点数が増大してその管理が面倒であるという問題があった。
【００１３】
本発明はこのような点に基づいてなされたものでその目的とするところは、ワイヤ等の紐体を使用しての縛り付け作業を容易にすることが可能な骨接合装置用ねじ部材と骨接合装置を提供することにある。
【００１４】
上記目的を達成するべく本願発明の請求項１による骨接合装置用ねじ部材は、ねじ部を備えた軸部と、上記軸部の基端に設けられた頭部と、を具備し、骨折した骨を接合する骨接合装置にあって使用される骨接合装置用ねじ部材において、上記頭部の反軸部側に突出する突出部を設け、該突出部に締結用紐体を通すための貫通した孔を設け、上記貫通した孔は上記突出部の軸方向に沿って異なる位置に相互に直交する方向に指向した状態で夫々設けられていることを特徴とするものである。
又、請求項２による骨接合装置用ねじ部材は、 請求項１記載の骨接合装置用ねじ部材において、上記貫通した孔は上記突出部の軸方向に沿って異なる位置に２個ずつ設けられていることを特徴とするものである。
又、請求項３による骨接合装置は、請求項１又は請求項２記載の骨接合装置用ねじ部材と、上記骨接合装置用ねじ部材を使用して骨を接合した後、上記骨接合装置用ねじ部材の突出部に設けられた孔に通されて骨と骨接合装置用ねじ部材とを縛り付けていく紐体と、を具備したことを特徴とするものである。
又、請求項４による骨接合装置は、請求項３記載の骨接合装置において、紐体によって縛り付けた後、孔部をかしめることにより、紐体の孔からの不用意な抜けを防止するようにしたことを特徴とするものである。
【００１５】
すなわち、部材を接合するための部材接合装置においては、各種の部材接合装置用ねじ部材が使用される。これらの部材接合装置用ねじ部材によって部材と部材を接合したり、部材接合装置を部材に取り付けたりするわけである。そこで、これら各種の部材接合装置用ねじ部材の基部に縛り付け用の紐体が通る孔を設けておき、紐体によって縛り付ける際にその孔を通しながら行うことを可能にしたものである。それによって、従来のように縛り付け用の金具を別途必要とすることもなく、部品点数を減少させることができると共に、金具の取付作業が不要となるので、それだけ接合作業に要する時間を短縮することができる。
孔としては異なる方向に複数個設けることが考えられ、例えば、相互に直交する方向に所定個数ずつ設けることが考えられる。
又、請求項５は同趣旨の内容を方法としてクレームしたものであり、又、請求項６は孔を利用して紐体により縛り付けた後孔部をかしめることにより紐体の孔からの不用意な抜けを防止することをクレームしたものである。
【００１６】
【発明の実施の形態】
以下、図１乃至図４を参照して本発明の第１の実施の形態を説明する。図１は部材接合装置としての骨接合装置に使用される部材接合装置用ねじ部材１の全体を示す側面図であり、図２は図１のＩＩ−ＩＩ矢視図である。
尚、上記部材接合装置用ねじ部材１は、例えば、従来技術の説明で使用した図８に図示されているコンプレッションスクリュ１２９やコーティカルスクリュ１３３やキャニレットスクリュ１３７等として使用されるものである。
【００１７】
部材接合装置用ねじ部材１は、軸部３と、この軸部３の基部に設けられた頭部５とから構成されている。上記軸部３には所定のねじ部７が形成されている。又、頭部５には、その横断面形状が四角形をなす突出部９が突設されていて、この突出部９には２個の孔１１、１３が穿孔されている。これら孔１１、１３は部材接合装置用ねじ部材１の軸方向に対して直交する方向に形成されている。又、これら孔１１、１３はワイヤ２１（図３及び図４に示す）によって縛り付ける際に、該ワイヤ２１を通すためのものである。
【００１８】
そこで、実際の使用例を図３及び図４を参照して説明する。図３は従来例の説明で使用した図８の一部を示す図で、コーティカルスクリュとして本実施の形態による部材接合装置用ねじ部材１を使用したものである。部材接合装置用ねじ部材１の頭部５の突出部９に設けられた孔１１、１３内にワイヤ２１を通しながら、チューブプレート１０３と大腿骨１０１とを強固に縛り付けていくものである。又、ワイヤ２１による縛り付けが完了した後、図示しない治具によって孔１１、１３をかしめる。それによって、ワイヤ２１の孔１１、１３からの不用意な抜けを防止するものである。
【００１９】
又、図４に示すものは、大腿骨１０１の一部に骨折が発生した場合に、これを部材接合装置用ねじ部材１によって座金２３を介して螺合・接合し、その後、ワイヤ２１を使用して縛り付けていくものである。この場合にも、部材接合装置用ねじ部材１の頭部５の突出部９に設けられた孔１１、１３内にワイヤ２１を通しながら、骨折部と大腿骨１０１とを強固に縛り付けていくものである。又、ワイヤ２１による縛り付けが完了した後、図示しない治具によって孔１１、１３をかしめる。それによって、ワイヤ２１の孔１１、１３からの不用意な抜けを防止するものである。
【００２０】
以上本実施の形態によると次のような効果を奏することができる。
まず、骨接合装置を使用して骨折部を接合した後にワイヤ２１によって縛り付ける際、従来のように、別途金具を用意して固定する必要はなく、部材接合装置用ねじ部材１の頭部５に設けられた突出部９の孔１１、１３をそのまま使用して行うことができる。よって、部品点数を減少させることができると共に、接合作業を容易化して該作業に要する時間を短縮させることが可能になる。
又、ワイヤ２１によって縛り付けた後、孔１１、１３をかしめるようにしているので、ワイヤ２１の孔１１、１３からの不用意な抜けを防止することが可能になる。
【００２１】
次に、図５乃至図７を参照して本発明の第２の実施の形態を説明する。この第２の実施の形態の場合には、前記第１の実施の形態における突出部９を軸方向にさらに延長して、孔９、１１と直交する方向に別の孔１５、１７を設けたものである。
その他の構成は前記第１の実施の形態の場合と同じであるので同一部分には同一符号を付して示しその説明は省略する。
【００２２】
上記構成によると前記第１の実施の形態と同様の効果を奏することができることはもとより、孔１１、１３に対して直交する別の孔１５、１７を設けているので、ワイヤ２１による縛り付け作業がよりやり易くなるものである。又、１個の部材接合装置用ねじ部材に異なる方向に指向した孔を複数個設けることにより、他のねじ部材については孔を備えていない普通のねじ部材とすることも可能となる。
【００２３】
尚、本発明は前記第１及び第２の実施の形態に限定されるものではない。
まず、骨接合装置用ねじ部材の構成については図示したものに限定されず様々な形態が考えられる。
又、孔の個数、方向等についてもこれを特に限定するものではない。
【００２４】
【発明の効果】
以上詳述したように本発明による部材接合装置用ねじ部材によると、部材接合装置を使用して部材を接合した後に紐体によって縛り付ける際、従来のように、別途金具を用意して固定する必要はなく、ねじ部材の頭部に設けられた孔をそのまま使用して行うことができる。よって、部品点数を減少させることができると共に、接合作業を容易化して該作業に要する時間を短縮させることが可能になる。
又、本発明による部材接合方法によると、簡単な作業によって部材同士を接合して紐体により縛り付けることができる。又、縛り付けた後孔部をかしめることにより紐体の孔からの不用意な抜けを防止することができる。
【図面の簡単な説明】
【図１】本発明の第１の実施の形態を示す図で、部材接合装置用ねじ部材の全体の構成を示す側面図である。
【図２】本発明の第１の実施の形態を示す図で、図１のＩＩ−ＩＩ矢視図である。
【図３】本発明の第１の実施の形態を示す図で、部材接合装置用ねじ部材を実際に使用した状態を示す図である。
【図４】本発明の第１の実施の形態を示す図で、部材接合装置用ねじ部材を実際に使用した状態を示す図である。
【図５】本発明の第２の実施の形態を示す図で、部材接合装置用ねじ部材の全体の構成を示す側面図である。
【図６】本発明の第１の実施の形態を示す図で、図１のＩＶ−ＩＶ矢視図である。
【図７】本発明の第１の実施の形態を示す図で、図１のＶ−Ｖ矢視図である。
【図８】従来例を示す図で、部材接合装置によって骨折した骨を接合しようとする状態を示す図である。
【符号の説明】
１  部材接合装置用ねじ部材
５  頭部
９  突出部
１１  孔
１３  孔
１５  孔
１７  孔
２１  ワイヤ（紐体）
２３  座金
【図１】
0004287022.tif 000002
【図２】
0004287022.tif 000003
【図３】
0004287022.tif 000004
【図４】
0004287022.tif 000005
【図５】
0004287022.tif 000006
【図６】
0004287022.tif 000007
【図７】
0004287022.tif 000008
【図８】
0004287022.tif 000009